(57)【要約】【課題】テープを巻く軌跡の傾斜角度を調整することで、テープを巻く際にテープ本体とプロテクタ本体との接触をなくし、テープ巻き固定の作業性を向上させ、作業者の負担を軽減する。【解決手段】電線群を貫通させる樹脂成形品からなるプロテクタにおいて、桶形状のプロテクタ本体から支線分岐部が配線方向に沿った傾斜方向に突出し、該支線分岐部は底壁と一側壁を備え断面Ｌ形状で、該一側壁の外面にプロテクタ本体に対して９０度±２０度の範囲で突出するテープ巻き用補助壁を突設し、前記支線分岐部に支線を挿通させた状態で、該支線と前記支線分岐部の外周面および前記テープ巻き用補助壁の外周にテープを巻き付けて支線を固定している。【選択図】図１
2008092614.tif 000002
【特許請求の範囲】
【請求項１】
電線群を貫通させる樹脂成形品からなるプロテクタにおいて、
桶形状のプロテクタ本体から支線分岐部が支線配索方向に沿って傾斜して突出し、
該支線分岐部は底壁と一側壁を備え断面Ｌ形状で、該支線分岐部の一側壁の外面にプロテクタ本体の側壁に対して９０度±２０度の範囲で突出するテープ巻き用補助壁を突設し、
前記支線分岐部に支線を挿通させた状態で、該支線と前記支線分岐部の外周面および前記テープ巻き用補助壁の外周にテープを巻き付けて支線を固定していることを特徴とするプロテクタ。
【請求項２】
前記支線分岐部の長さは２０〜４０ｍｍである請求項１に記載のプロテクタ。
【請求項３】
前記支線分岐部の底壁は、前記プロテクタ本体の底壁から一方の側壁を切欠いて突出させ、該支線分岐部の前記一側壁および前記テープ巻き用補助壁は前記プロテクタ本体の側壁から突設している請求項１または請求項２に記載のプロテクタ。
【請求項４】
前記テープ巻き用補助壁の外面に、テープの巻き方向に沿ってテープ巻付用リブを突設している請求項１乃至請求項３に記載のプロテクタ。
【発明の詳細な説明】
【技術分野】
【０００１】
本発明は、自動車に配索する電線群(ワイヤハーネス)に外装するプロテクタに関し、特に、プロテクタの本体から支線分岐部を突設し、該支線分岐部に支線をテープを巻き付けて固定しているプロテクタにおいて、該支線固定用のテープの巻き作業性を向上させるものである。
【背景技術】
【０００２】
自動車に配索されるワイヤハーネスは、外部干渉材からのワイヤハーネスの保護およびワイヤハーネスの配索ラインを規制する等の目的から、樹脂成形品であるプロテクタの内部にワイヤハーネスを挿通させた状態で配索している。
前記プロテクタに挿通させるワイヤハーネスには、所要位置で幹線から支線を分岐して、車両に設置されている電気機器に接続する場合がある。この支線の分岐位置では、プロテクタ本体から支線分岐部を突出させ、分岐する支線を該支線分岐部にテープ巻きして、支線を支線分岐部に固定している。
【０００３】
この種の幹線から支線を分岐させるワイヤハーネス用のプロテクタとして、例えば、実開平６−２９２４号公報（特許文献１）で、図６に示すプロテクタが提供されている。
前記プロテクタは、断面凹部状の分岐電線受部１がプロテクタ本体２から突出し、該分岐電線受部１の内側の底面に側壁１ａよりも高さの低いワイヤハーネス用の載置台３を突設し、分岐電線受部１および分岐電線受部１に配置した支線Ｗ１の外周をテープＴを巻き付けて、支線Ｗ１を分岐電線受部１に固定している。
【０００４】
前記のように分岐電線受部１を備えたプロテクタにおいて、支線の配線方向が、図示のように、プロテクタ本体２に対して傾斜している場合、分岐電線受部１がプロテクタ本体２から傾斜して突出することになる。
この場合、特許文献１のプロテクタでは、図７に示すように、分岐電線受部１に支線Ｗ１を配置して、該支線Ｗ１および分岐電線受部１の外周にテープＴをテープコイルから引き出して巻き付ける際に、プロテクタ本体２の延在方向Ｙに対してテープＴの巻き方向Ｘが傾斜しているため、テープＴが引き出されるテープコイルＴＣがプロテクタ本体２の側壁と接触する。そのため、テープコイルＴＣを保持する作業員の手がプロテクタ本体２に当たり、テープＴの巻き付け作業が困難となる。また、テープＴに皺が生じて分岐電線受部１に対する支線Ｗ１の固定が不十分となり、前記皺が発生しないようにテープ巻き作業を行うには作業者は細心の注意を必要とし、作業者の負担となる。
【０００５】
【特許文献１】実開平６−２９２４号公報
【発明の開示】
【発明が解決しようとする課題】
【０００６】
本発明は、前記問題に鑑みてなされたものであり、プロテクタの支線受部がプロテクタ本体に対して傾斜している場合、支線を支線受部に固定するテープ巻きの方向を調整することで、テープを巻く際にテープとプロテクタ本体の側壁との接触をなくし、テープ巻き作業性を向上させる課題としている。
【課題を解決するための手段】
【０００７】
上記課題を解決するために、本発明は、電線群を貫通させる樹脂成形品からなるプロテクタにおいて、
桶形状のプロテクタ本体から支線分岐部が支線配索方向に沿って傾斜して突出し、
該支線分岐部は底壁と一側壁を備え断面Ｌ形状で、該支線分岐部の一側壁の外面にプロテクタ本体の側壁に対して９０度±２０度の範囲で突出するテープ巻き用補助壁を突設し、
前記支線分岐部に支線を挿通させた状態で、該支線と前記支線分岐部の外周面および前記テープ巻き用補助壁の外周にテープを巻き付けて支線を固定していることを特徴とするプロテクタを提供している。
【０００８】
支線を固定するために支線分岐部にテープを巻く際、プロテクタ本体から突設した支線分岐部を軸としてテープコイルを回転させながら支線と支線分岐部を巻き付けていく。
前記のように、プロテクタ本体の側壁に対して９０度±２０度の範囲のテープ巻き用補助壁を支線分岐部の一側壁の外面に突設すると、該支線分岐部の一側壁にはテープが巻かれず、テープ巻き用補助壁、支線の外周、支線分岐部の底壁にテープが巻かれることになる。そのため、テープを巻く際のプロテクタ本体に対するテープの巻き方向は、テープ巻き用補助壁の延在方向と略直交する向きとなる。
【０００９】
よって、支線分岐部の一側壁がプロテクタ本体の側壁に対して９０度±２０度の範囲を超えて傾斜していても、テープ巻き用補助壁で略直交方向に補正することで、該テープ巻き用補助壁と直交方向であるテープの巻き方向はプロテクタ本体の側壁と略平行方向とすることができる。
従って、支線分岐部を軸に回転してテープコイルからテープを引き出して巻き付ける際に、テープコイルの軌跡がプロテクタ本体と交差せず、テープコイルがプロテクタ本体に接触することを防止でき、テープの巻き付け作業が容易となり、作業者の負担を軽減することができる。
また、支線分岐部および支線に対して略直角にテープを巻くことができるため、テープに皺が発生せず、支線分岐部に支線を強固に固定することができる。
【００１０】
前記テープ巻き用補助壁をプロテクタ本体に対して９０度±２０度の範囲と突設しているのは、この範囲を超えると、テープを巻く軌跡上にプロテクタ本体が位置し、テープ巻き作業時にプロテクタ本体にテープコイルが干渉し、テープコイルを保持する作業員の手がプロテクタ本体に当たって、テープ巻き固定の作業性が悪化することに因る。
なお、テープ巻き用補助壁はプロテクタ本体に対して９０度とすると、テープを巻く方向とプロテクタ本体が平行となるため、特に好ましい。
【００１１】
前記支線分岐部の長さは２０〜４０ｍｍで、３０ｍｍ程度が好ましい。
前記支線分岐部の長さを支線を分岐位置で固定できる長さであればよく、２０ｍｍ以下であるとテープ幅よりも小さくなる恐れがあり、また、４０ｍｍであれば支線を固定するのに十分であることによる。
【００１２】
具体的には、前記支線分岐部の底壁は、前記プロテクタ本体の底壁から一方の側壁を切欠いて突出させ、該支線分岐部の前記一側壁および前記テープ巻き用補助壁は前記プロテクタ本体の側壁から突設している。
前記支線分岐部は断面略Ｌ形状として、前記底壁と一側壁とから形成すると、開口した他側ではテープを支線の外周面に直接粘着することができる。なお、底壁の幅方向の両側に側壁を突設して断面凹形状とし、支線を凹部内に挿入する構成としてもよい。
【００１３】
前記テープ巻き用補助壁の外面に、テープの巻き方向に沿ってテープ巻付用リブを突設してもよい。
前記のように、テープ巻きの方向に沿ってテープ巻付用リブを突設することにより、テープとテープ巻き用補助壁の接触面が増加し、テープを支線分岐部に強固に巻いたとしても、該テープ巻き用補助壁の端縁によってテープが破断することがない。かつ、テープ巻き用補助壁を補強できる。
なお、テープ巻き付け用リブは、テープ巻き用補助壁から一方側だけに突出させてもよく、両側に突出させてもよい。また、テープ巻き付け用リブを設ける代わりに、テープ巻き用補助壁の外面を円弧状としてもよい。
【発明の効果】
【００１４】
前述したように、本発明によれば、テープ巻き用補助壁がプロテクタ本体に対してほぼ直交方向に突出させているため、テープを巻き付け方向をプロテクタ本体は略平行とすることができる。従って、テープ巻き時において、テープコイルがプロテクタ本体と接触せず、テープの巻き付け作業が容易となり、作業者の負担を軽減することができる。
また、支線分岐部および支線に対して略直角にテープを巻くことができるため、テープに皺がよらず、支線分岐部に支線を強固に固定することができる。
【００１５】
さらに、テープ巻きの方向に沿ってテープ巻付用リブを突設すると、テープとテープ巻き用補助壁の接触面が増加し、テープを支線分岐部に強固に巻いたとしても、該テープ巻き用補助壁によってテープが破断することがない。
【発明を実施するための最良の形態】
【００１６】
以下、本発明の実施形態を図１乃至図４を参照して説明する。
本発明のプロテクタ１０は、ワイヤハーネス２０の幹線２１の電線群を貫通させ、幹線２１から支線２２を分岐させるものである。
【００１７】
前記プロテクタ１０は樹脂成形品からなるプロテクタ本体１１と、プロテクタ本体１１に被せるカバー１２とを備えている。
図１および図２に示すように、幹線２１を一端開口１０ａから挿通させ、他端開口１０ｂで幹線２１から支線２２を分岐させている。
【００１８】
前記プロテクタ本体１１は上端開口の樋形状とし、幹線挿入側から支線分岐側に向かって略Ｓ字に屈曲している。該プロテクタ本体１１の上端開口の縁部には、後述するカバー１２の爪部１２ａと係止する枠部１１ｄを間隔をあけて設けている。
【００１９】
プロテクタ本体１１の一端開口１０ａ側に幹線固定部１１ｅを突出させ、プロテクタ本体１１に挿入する幹線２１をテープＴで固定している。
プロテクタ本体１１の他端開口１０ｂ側にも幹線固定部１１ｆを設け、プロテクタ本体１１の他端で幹線２１を幹線固定部１１ｆにテープＴで固定している。
該他端開口１０ｂの幹線固定部１１ｆの一側部に、幹線２１から分岐する支線２２をテープ巻き固定する支線分岐部１３を突設している。
【００２０】
前記支線分岐部１３は、図３（Ａ）〜（Ｃ）に示すように、底壁１３ａと一側に側壁１３ｂを備えた断面Ｌ形状とし、プロテクタ本体１１の側壁１１ａを切り欠いて、底壁１１ｂから支線２２の配線方向に沿って突設し、該突設方向はプロテクタ本体１１の側壁１１ａに対して傾斜している。本実施形態では傾斜角度αは約７０度であり、支線分岐部１３の長さＬを３０ｍｍとしている。
【００２１】
前記支線分岐部１３の底壁１３ａはプロテクタ本体１１の底壁１１ｂと連続させて突設している。また、側壁１３ｂはプロテクタ本体１１の側壁１１ａの切欠端１１ｃの下部から突出させ、プロテクタ本体１１の側壁１１ａに対して前記傾斜角度αで突出させ、先端にはテープ止め用突部１３ｄを突設している。
【００２２】
前記支線分岐部１３の側壁１３ｂの外面に、テープ巻き用補助壁１４を平面視で三角形状に突出させている。該テープ巻き用補助壁１４の一辺１４ｘをプロテクタ本体１１の側壁１１ａの外面に連続させ、外縁辺１４ｙを側壁１１ａに対する角度βを９０度としている。さらに、該外縁辺１４ｙに沿ってテープ巻付用リブ１４ａを上方に向けて突設している。
支線分岐部１３の底壁１３ａの端縁１３ｃは、前記テープ巻付用リブ１４ａと略平行に延在させ、先端にはテープ止め用突部１３ｅを設けている。
【００２３】
次に、ワイヤハーネス２０にプロテクタ１０を装着し、支線分岐部１３にテープＴを巻く作業について説明する。
プロテクタ本体１１に幹線２１および支線２２の電線群を上端開口から挿入した後、幹線２１をプロテクタ本体１１の幹線固定部１１ｅ、１１ｆにテープＴで固定する。
ついで、プロテクタ本体１１の上端開口を塞ぐようにカバー１２を被せ、カバー１２の爪部１２ａをプロテクタ本体１１の枠部１１ｄに挿入してカバー１２をプロテクタ本体１１にロック結合する。組み付け工程によっては、カバー１２を被せ、ついで、幹線２１を幹線固定部１１ｅ、１１ｆにテープＴを固定してもよい。
【００２４】
その後、図４（Ａ）〜（Ｃ）に示すように、支線２２を幹線２１から屈曲して分岐させ、支線分岐部１３の側壁１３ｂおよび底壁１３ａに囲まれた空間Ｓに支線２２を挿通する。支線２２を側壁１３ｂおよび底壁１３ａに沿わせた状態で、支線２２と支線分岐部１３の側壁１３ｂとテープ巻き用補助壁１４から突設するテープ巻付用リブ１４ａと底壁１３ａで形成する外周面にテープＴを巻き付けて、支線２２を支線分岐部１３に固定する。
テープの巻き付け作業は、テープコイルＴＣからテープを引き出してテープコイルＴＣを支線分岐部１３を軸として回転させながら巻いていく。
【００２５】
前記のように、プロテクタ本体１１の側壁１１ａからテープ巻き用補助壁１４を突設させることで、支線分岐部１３の側壁１３ｂがプロテクタ本体１１に対して角度αが７０度で傾斜していても、テープＴを巻き付ける方向はプロテクタ本体１１から角度βの９０度で突出しているテープ巻付用リブ１４ａおよび底壁１３ａの端縁１３ｃと直交方向となる。そのため、テープＴの巻き方向Ｘは、プロテクタ本体１１の側壁１１ａが延在する方向Ｙと平行となる。
【００２６】
従って、支線２２を支線分岐部１３にテープＴを巻いて固定する際に、テープコイルＴＣを回転する軌跡がプロテクタ本体１１と交差しないため、テープコイルＴＣとプロテクタ本体１１が接触することなく、支線２２を固定するためのテープＴの巻き付け作業が容易となり、作業者の負担を軽減することができる。
また、支線分岐部１３および支線２２対して略直角にテープＴを巻くことができるため、支線分岐部１３に支線２２を強固に固定することができる。
さらに、テープ巻きの方向に沿ってテープ巻付用リブ１４ａを突設することにより、テープＴとテープ巻き用補助壁１４の接触面が増加し、テープＴを支線分岐部１３に強固に巻いたとしても、該テープ巻き用補助壁１４の端縁によってテープＴが破断することがない。
【００２７】
図５に、本発明の第２実施形態を示す。
本実施形態のテープ巻き用補助壁３４は、テープ巻付用リブ１４ａを設けず、テープ巻き用補助壁３４の該外縁辺３４ｙ先端を円弧部３４ｚとする構成を第１実施形態と相違させている。
前記構成とすると、テープ巻き用補助壁３４の形状を単純化することができるため、金型作成費を削減することができる。
なお、他の構成および作用効果は第１実施形態と同様のため、同一の符号を付して説明を省略する。
【図面の簡単な説明】
【００２８】
【図１】本発明のプロテクタを示す斜視図である。
【図２】図１のプロテクタの要部を拡大した断面図である。
【図３】（Ａ）は支線分岐部の斜視図であり、（Ｂ）は（Ａ）のＡ−Ａ線断面図である。
【図４】支線分岐部にテープを巻く状態を示し、（Ａ）は斜視図であり、（Ｂ）は平面図であり、（Ｃ）はＢ−Ｂ線断面図である。
【図５】第２実施形態のプロテクタを示し、（Ａ）は支線分岐部の断面図であり、（Ｂ）はテープを巻いた状態の断面図である。
【図６】従来例を示す図である。
【図７】従来例を示す図である。
【符号の説明】
【００２９】
１０  プロテクタ
１１  プロテクタ本体
１１ａ  側壁
１１ｂ  底壁
１２  カバー
１３  支線分岐部
１３ａ  底壁
１３ｂ  一側壁
１４  テープ巻き用補助壁
１４ａ  テープ巻付用リブ
２０  ワイヤハーネス
２１  幹線
２２  支線
Ｔ  テープ
ＴＣ  テープコイル
Ｘ  テープの巻き方向
【図１】
2008092614.tif 000003
【図２】
2008092614.tif 000004
【図３】
2008092614.tif 000005
【図４】
2008092614.tif 000006
【図５】
2008092614.tif 000007
【図６】
2008092614.tif 000008
【図７】
2008092614.tif 000009